(57)【特許請求の範囲】
【請求項１】
カラオケデータ記憶手段と、カラオケ演奏手段と、デジタル放送受信手段と、放送再生手段と、演奏予約手段と、制御手段と、出力手段を備え、演奏予約された楽曲を順番に演奏するカラオケ装置であって、
カラオケデータ記憶手段は、楽曲ごとのカラオケデータを楽曲ＩＤに対応づけて格納し、
カラオケ演奏手段は、制御手段による制御に従い、カラオケデータに基づいて伴奏音楽と歌詞画像を同期して出力手段より音響映像出力させ、
デジタル放送受信手段は、デジタル放送の音楽番組の放送データを受信し、
音楽番組の放送データは、音楽の音声データに、当該音声データの楽曲についての曲名・歌手名・楽曲ＩＤを含む楽曲関連データが多重化されており、
放送再生手段は、制御手段による制御に従い、デジタル放送受信手段が受信する音声データを出力手段より音響出力させるとともに、デジタル放送受信手段が受信する楽曲関連データを出力手段より映像出力させ、
演奏予約手段は、楽曲ＩＤを含む演奏予約の第１の利用者入力と、放送再生手段により出力中の楽曲を演奏予約するための第２の利用者入力を受け付け可能であり、
制御手段は、第１および第２の少なくとも一方の利用者入力により演奏予約された楽曲ＩＤのカラオケデータをカラオケ演奏手段により出力させるとともに、カラオケ演奏休止期間に第１処理と第２処理を行い、
第１処理は、デジタル放送受信手段が受信する放送データを放送再生手段により出力させ、
第２処理は、演奏予約手段により第２の利用者入力を受け付けた際、第１処理での放送データに含まれる楽曲ＩＤを演奏予約する
カラオケ装置。
【発明の詳細な説明】
【０００１】
【発明の属する技術分野】
本発明は、デジタル放送における音楽番組の送信方法とその放送を受信するカラオケ装置に関するものである。
【０００２】
【従来の技術】
現在、デジタル放送として、通信衛星（以下、ＣＳ）を中継局としたＣＳデジタル多チャンネル放送システムがある。このシステムで放送される番組はＭＰＥＧ２で規定されたデータ符号化圧縮方法によってデジタルデータに変換されている。番組には映像データや音声データのほかに、時間や文字などの付帯データが必要に応じて付加される。これらのデータ群は時間軸多重されて１番組分のビットストリームとして送出される。さらに、複数チャンネル分の番組を多重することで、一つのＣＳでＴＶ番組とラジオ番組をそれぞれ１００チャンネル以上同時に放送することができる。
【０００３】
このようなＣＳデジタル多チャンネル放送を受信して番組の映像や音声を再生するためにＩＲＤ（統合受信復号装置）が用意されている。ＩＲＤはパラボラアンテナなどが捕らえた放送電波中の放送データを処理することで、番組の映像信号や音声信号を再生する。番組の映像や音声はＩＲＤの音声／映像出力部に接続されたオーディオビジュアル（ＡＶ）機器によって出力される。
【０００４】
このように、ＣＳデジタル多チャンネル放送は、ＩＲＤをＡＶ機器に接続するだけで簡単に試聴することができることから、カラオケ会場などにおいて、リクエスト楽曲の演奏と演奏の合間などの演奏休止期間にＣＳデジタル多チャンネル放送によって放送される音楽番組をＢＧＭとしてカラオケ装置のスピーカなどから出力することができる。
【０００５】
また、音楽番組内で演奏される楽曲の曲名やアーティスト名など楽曲に関連したデータを多重しておくことで、この楽曲関連データをディスプレイに表示することもできる。
【０００６】
【発明が解決しようとする課題】
カラオケ会場において、音楽番組中で演奏される楽曲をＢＧＭとして利用する場合、カラオケ楽曲の演奏休止期間中に利用することを考えると、放送楽曲は演奏途中から始まって演奏途中で終わることがほとんどである。そのため、利用者はＢＧＭを鑑賞目的で利用することは少ない。むしろ、音楽番組の放送データに付帯した楽曲関連データを得ることを目的とするのが普通であろう。
【０００７】
しかも、カラオケ会場においてはＢＧＭをカラオケとして歌いたいためにその楽曲関連データを利用したいと思うのが自然である。しかし、従来の楽曲関連データは曲名や歌手名あるいはＣＤの発売元やコンサートの開催情報などである。そのため、放送されている楽曲を歌いたいときはディスプレイに表示されている楽曲関連データを手がかりにしてカラオケ目次本でその楽曲のリクエスト番号をいちいち確認する必要があった。
【０００８】
そこで、本発明はデジタル放送における音楽番組で演奏される楽曲をカラオケ装置に演奏予約する場合、目次本を参照することなく簡単に楽曲番号を確認することができる音楽番組の送信方法とこの放送を受信するカラオケ装置を提供することを目的としている。
【０００９】
【課題を解決するための手段】
本発明のデジタル放送における音楽番組の送信方法は、音楽番組の各楽曲を放送するときに、その楽曲をカラオケ装置においてリクエストするための楽曲ＩＤを関連情報として多重化し、その楽曲の放送中に前記楽曲ＩＤを十分に短い時間間隔で繰り返し送出している。
【００１０】
また、上記送信方法により放送される音楽番組を受信するカラオケ装置は、多数楽曲分のカラオケデータが適宜な記憶媒体に格納されており、適宜なカラオケデータをこの記憶媒体より取り出して処理することで、リクエストされたカラオケ楽曲の伴奏音楽と歌詞画像を同期してスピーカとディスプレイに出力する主機能系統に加え、前記音楽番組の放送データを受信して処理するためのデジタル放送受信処理系統を備え、前記デジタル放送受信処理系統は、前記放送データから前記番組の音声データと前記楽曲ＩＤとを取り出すためのデータ抽出手段と、この抽出手段によって取り出された前記音声データを伸長／復号して音声信号を生成してスピーカに出力するための音声信号処理手段と、抽出された前記楽曲ＩＤに対応する楽曲番号を前記ディスプレイに出力するための楽曲番号表示手段とを含んでいる。
【００１１】
この出願において特許請求する発明は、分説すると、つぎの事項（１）〜（10）により特定されるカラオケ装置である。
（１）カラオケデータ記憶手段と、カラオケ演奏手段と、デジタル放送受信手段と、放送再生手段と、演奏予約手段と、制御手段と、出力手段を備え、演奏予約された楽曲を順番に演奏するカラオケ装置であること
（２）カラオケデータ記憶手段は、楽曲ごとのカラオケデータを楽曲ＩＤに対応づけて格納すること
（３）カラオケ演奏手段は、制御手段による制御に従い、カラオケデータに基づいて伴奏音楽と歌詞画像を同期して出力手段より音響映像出力させること
（４）デジタル放送受信手段は、デジタル放送の音楽番組の放送データを受信すること
（５）音楽番組の放送データは、音楽の音声データに、当該音声データの楽曲についての曲名・歌手名・楽曲ＩＤを含む楽曲関連データが多重化されていること
（６）放送再生手段は、制御手段による制御に従い、デジタル放送受信手段が受信する音声データを出力手段より音響出力させるとともに、デジタル放送受信手段が受信する楽曲関連データを出力手段より映像出力させること
（７）演奏予約手段は、楽曲ＩＤを含む演奏予約の第１の利用者入力と、放送再生手段により出力中の楽曲を演奏予約するための第２の利用者入力を受け付け可能であること
（８）制御手段は、第１および第２の少なくとも一方の利用者入力により演奏予約された楽曲ＩＤのカラオケデータをカラオケ演奏手段により出力させるとともに、カラオケ演奏休止期間に第１処理と第２処理を行うこと
（９）第１処理は、デジタル放送受信手段が受信する放送データを放送再生手段により出力させること
（10）第２処理は、演奏予約手段により第２の利用者入力を受け付けた際、第１処理での放送データに含まれる楽曲ＩＤを演奏予約すること
【００１２】
【発明の実施の形態】
＝＝＝デジタル放送システム＝＝＝
本発明における音楽番組送信方法とそれを受信するカラオケ装置を含むデジタル放送システムの一実施例として、ＣＳデジタル多チャンネル放送システムについて説明する。図１はその基本構成図であり、放送局１とＣＳ１０とカラオケ装置１００で構成されている。カラオケ装置１００はＣＳデジタル多チャンネル放送用の統合受信再生装置（ＩＲＤ）を内蔵した受信再生カラオケ装置１００となっている。受信再生カラオケ装置（以下、カラオケ装置）１００は、必要に応じて放送局１あるいはカラオケホスト局２００と電話回線５０を介してデータ通信を行えるようになっている。これらの基本構成は放送局１とカラオケ装置１００の関係については従来のＣＳデジタル多チャンネル放送システムに準じ、カラオケホスト局２００とカラオケ装置１００の関係については通信カラオケシステムに準じている。
【００１３】
＝＝＝放送される音楽番組のデータ構造＝＝＝
図２は本発明による送信方法によって放送される音楽番組において、ある楽曲の演奏を放送しているときに送出されるデータストリームの構成の概略図を示している。データストリーム３００はＴＳ（Transport Stream）パケットと呼ばれる所定のデータ長を持つパケット３０１によって区切られている。そして、このパケット３０１はパケットヘッダ部３０２とペイロードと呼ばれるデータ格納部３０３とから構成されている。パケットヘッダ部３０２はパケットの同期符号や識別符号を含み、ペイロード３０３は多重化される各種データを格納している。なお、この多重化方式は、ＭＰＥＧ２―Ｓｙｓｔｅｍｓ規格によって標準化されている。
【００１４】
ペイロード３０３には放送中の楽曲の音声信号をＭＰＥＧ２規格によって圧縮符号化した番組楽曲データ３０３ａのほかに、本実施例では、楽曲ＩＤ３０３ｂが格納されている。楽曲ＩＤ３０３ｂは、放送中の楽曲をカラオケ装置においてリクエストするための情報であり、具体的にはカラオケ装置でその楽曲をリクエストするときに入力する楽曲番号が記述されている。また、楽曲ＩＤの他にその放送中の楽曲における曲名や歌手あるいはＣＤの発売元などその楽曲の関連するデータ３０３ｃが必要に応じてＴＳパケット３０１に適宜格納される。そして、これらのデータ３０３ａ〜ｃが格納されたＴＳパケット３０１はデータストリーム３００中に適宜に配置される。
なお、ある楽曲の演奏を放送しているときはその楽曲のＩＤ３０３ｂを含むＴＳパケットが繰り返しデータストリーム中に挿入されている。
【００１５】
以上の例では音楽番組を音声のみのラジオ放送として説明したが、ＴＶ放送であってもよい。その場合は、ペイロード３０３にＴＶ放送の映像に対応したＭＰＥＧ２ビデオデータが格納されたＴＳパケット３０１がデータストリーム３００中に適宜に挿入されることになる。また、楽曲ＩＤと楽曲関連データを識別できるようにして１つのペイロード３０３中に格納してもよい。
この音楽番組のデータストリーム３００には必要に応じてスクランブルデータが付加されたのち、他の複数のチャンネルで放送されている番組のデータストリームとさらに時間軸多重される。そして、この多重化された放送データはＱＰＳＫ変調を経て送出される。
【００１６】
＝＝＝カラオケ装置＝＝＝
＜基本構成とカラオケ楽曲演奏動作＞
図３は、カラオケ装置１００の構成図を示している。内部にＣＰＵ、ＲＡＭ、ＲＯＭを備えた中央制御部１０１が周辺各構成部に対しデータバス１５０や制御バス１６０を介してデータ転送や制御信号の送出を行っている。中央制御部１０１は、モデム１０３を介して電話回線５０に接続し、カラオケホスト局２００から配信されたカラオケデータをハードディスク装置１０２に格納していく。そして、利用者がリモコン送信器１２０や操作パネル１１１などのユーザインタフェースによって楽曲番号を入力すると、その楽曲番号をその入力順にＲＡＭなどに格納していくことで演奏予約する。そして、予約順に従って適宜なカラオケデータをハードディスク装置１０２より取り出して順次処理していく。
【００１７】
カラオケデータ中のＭＩＤＩデータなどの伴奏音楽生成データはシンセサイザ１３０に順次転送され伴奏音楽が生成される。この伴奏音楽はミキシングアンプ１３１でマイクロホン１３２より入力された歌唱音声と混合されてスピーカ１３３に出力される。また、カラオケデータ中の歌詞描出データをビデオＲＡＭ１４０に転送する。ここで歌詞画像がビットマップ展開される。そして、表示制御部１４２はビデオＣＤチェンジャ１４１から出力されたムード映像に歌詞画像をスーパーインポーズする処理を行ってディスプレイ１４３に出力する。
【００１８】
＜ＣＳデジタル多チャンネル放送の受信と復号＞
一方、ＣＳデジタル多チャンネル放送を受信するためのＩＲＤ部１８０はカラオケ楽曲の演奏休止期間など中央制御部１０１が適時に発行する動作指令を受けて作動する。
パラボラアンテナ１７０で捕らえられた放送電波は中間周波数（ＩＦ）信号に周波数変換されてＩＲＤ部１８０に導入される。このＩＦ信号はマイコン本体であるＩＲＤ制御部１８１の制御の下、同調、復調の各処理部（１８２、１８３）を経てデジタル多重データに復調され、多重分離部１８４に入力される。
【００１９】
多重分離部１８４は、多重データを番組毎のビットストリームに分離し、さらに１つの番組に相当するビットストリームから音声データや映像データあるいは楽曲ＩＤや楽曲関連データなど各種データを分離する。また、必要に応じてスクランブル解除のための処理も行う。
【００２０】
多重分離された音声データや映像データは、ＭＰＥＧ２デコード部１８５に入力される。ここで受信した番組の音声信号や映像信号が復号される。音声信号はミキシングアンプ１３１に入力され、中央制御部１０１がミキシングアンプ１３１の音声信号入力をＩＲＤ部１８０側に切り替え制御することで、スピーカ１３３より出力される。また、音楽番組がＴＶ放送である場合は、復号された映像信号が表示制御部１４２に入力される。そして、中央制御部１０１が表示制御部１４２の映像信号入力をＩＲＤ部１８０側に切り替え制御することによってＴＶ映像がディスプレイ１４３に出力される。
【００２１】
なお、ＩＣカードインタフェース部１８６にセットされたＩＣカード１８７にはＣＳデジタル多チャンネル放送の試聴記録やスクランブル解除情報など課金システムおよびスクランブル解除システムに関連したデータが書き込まれている。そして、適宜な通信機会にモデム１０３を介して放送局１とデータ通信を行って記録内容の転送などを行う。
【００２２】
＜楽曲番号表示＞
カラオケ装置１００には上述したＣＳデジタル多チャンネル放送における番組を受信してその音声や映像を再生する機能の他に、放送データ中に多重された各種データを取りだしてディスプレイ１４３に表示するためのデータ表示機能を備えている。以下、このデータ表示機能について説明する。
【００２３】
本実施例による送信方法で放送される音楽番組には楽曲ＩＤや楽曲関連データが多重されていることは上述した。そこで、ＩＲＤ制御部１８１は、多重分離部１８４で多重分離された楽曲ＩＤや楽曲関連データをデータバス１５０を介して中央制御部１０１に転送する。中央制御部１０１は、受け取った楽曲ＩＤに含まれる楽曲番号の数字をビデオＲＡＭ１４０にビットマップ展開し、ディスプレイ１４３に出力させる。さらに、必要に応じて、楽曲関連データも合わせて出力させる。また、ある楽曲が放送されているときはその楽曲ＩＤが繰り返し送出されているので、その放送楽曲の演奏途中でＩＲＤ部１８０を作動させたとしても、すぐにこの楽曲の楽曲番号がディスプレイ１４３に表示される。
【００２４】
なお、中央制御部１０１は楽曲番号や楽曲関連データをビデオＣＤに収録されている映像やＴＶ番組の映像あるいは予約楽曲のリスト表示画面に適宜に挿入するように表示制御部１４２を制御してもよい。
【００２５】
＜放送中の楽曲を演奏予約する動作＞
図４は、本実施例におけるリモコン送信器１２０のキー配置を示している。これらのキーは操作パネル１１１上にも配設されている。利用者が放送楽曲に該当するカラオケ楽曲をリクエストしたい場合は、表示されている楽曲番号をリモコン送信器１２０などのテンキー１２１を使用して入力すればよい。さらに、カラオケ装置１００は、放送中の楽曲の楽曲番号をいちいちテンキー入力しなくても簡単な操作で演奏予約するための放送楽曲予約機能を備えている。
【００２６】
この機能を実現するために、リモコン送信器１２０や操作パネル１１１には放送楽曲をリクエスト曲として演奏予約入力するためのＢＧＭ予約キー１２２が配設されている。ある楽曲が放送されているとき利用者がこのキー１２２を押すと、中央制御部１０１はＩＲＤ部１８０から転送された楽曲ＩＤをそのまま楽曲番号入力として受け取って処理する。これによって、放送中の楽曲が演奏予約される。
【００２７】
＝＝＝その他の実施例など＝＝＝
上記実施例において、楽曲ＩＤに楽曲番号が含まれているが、カラオケ装置の機種によっては、同じ楽曲でも演奏予約用の楽曲番号が異なる場合がある。それに対して、カラオケ装置の機種と楽曲番号とを対応付けて記述した対照表を楽曲ＩＤとして放送データに多重して送信してもよい。そして、カラオケ装置は受け取った対照表の中で、自身の機種に該当する楽曲番号を取り出して処理すればよい。
【００２８】
あるいは、ある楽曲を特定するための楽曲ＩＤを送信し、カラオケ装置側にその楽曲ＩＤに対し自身で利用する楽曲番号を対応づけた楽曲ＩＤ―楽曲番号変換テーブルなどを用意しておいてもよい。
【００２９】
【発明の効果】
本発明によれば、デジタル放送の音楽番組で放送されている楽曲をカラオケ装置でリクエストするための楽曲番号をカラオケ装置のディスプレイに表示することができる。そのため、利用者は目次本などで楽曲番号を探すことなく、表示された楽曲番号をカラオケ装置に入力するだけでその楽曲の演奏予約をすることができる。
【００３０】
さらに、楽曲番号を入力せずに取得した放送データ中の楽曲ＩＤをそのまま演奏予約番号として入力することで、極めて簡単な操作で放送している楽曲を演奏予約することができる。
【図面の簡単な説明】
【図１】本発明の実施例におけるデジタル多チャンネル放送システムの構成図である。
【図２】上記実施例において送信される多重データの構造図である。
【図３】本発明の実施例におけるカラオケ装置の構成図である。
【図４】上記カラオケ装置に付属するリモコン送信器のキー配置図である。
【符号の説明】
１  放送局
１００  カラオケ装置
１０１  中央制御部
１２０  リモコン送信器
１８０  ＩＲＤ部
１８５  ＭＰＥＧ２デコード部
【図１】
0004046818.tif 000002
【図２】
0004046818.tif 000003
【図３】
0004046818.tif 000004
【図４】
0004046818.tif 000005